(57)【要約】【課題】確実に、且つ、迅速に、ケーブルテレビジョンデジタル放送のテレビジョン放送信号のチャンネルデータを決定することができるテレビジョン受像機、チャンネル選局方法及びチャンネルスキャン方法を提供する。【解決手段】通常動作プログラム１８３２を実行したＣＰＵ１８１によって、Lastチャンネルデータテーブル１７１に記憶された周波数テーブルとチャンネルマップ１７２に記憶されたユーザにより選局された一のチャンネルに対応する変調方式との組み合わせからなるチャンネルデータを設定することによってＣＡＴＶ放送信号の受信が成功したか否かを判断し、ＣＡＴＶ放送信号の受信が成功しなかったと判断した場合には、設定するチャンネルデータを予め決められた順番で順次変更して、当該選局された一のチャンネルに対応するＣＡＴＶ放送信号をチューナ１２に受信させるよう構成した。【選択図】図１
2007208808.tif 000002
【特許請求の範囲】
【請求項１】
デジタル方式のケーブルテレビジョン放送信号を受信する受信手段と、
所定のタイミングで、チャンネル毎に、前記受信手段により受信されるケーブルテレビジョン放送信号の周波数テーブルと変調方式との組み合わせからなるチャンネルデータの設定を行うオートスキャン手段と、
前記オートスキャン手段によるオートスキャン時に、直前に選局されたチャンネルにおける前記受信手段により受信されたケーブルテレビジョン放送信号の周波数テーブルと変調方式との組み合わせからなるチャンネルデータを記憶するオートスキャン記憶手段と、
前記オートスキャン手段により、一のチャンネルが選局された際に、前記オートスキャン記憶手段に記憶されたチャンネルデータを、当該選局された一のチャンネルに対応するケーブルテレビジョン放送信号のチャンネルデータとして設定して、当該選局された一のチャンネルに対応するケーブルテレビジョン放送信号を前記受信手段に受信させ、次いで、ケーブルテレビジョン放送信号の受信が成功したか否かを判断し、ケーブルテレビジョン放送信号の受信が成功しなかったと判断した場合には、設定するチャンネルデータを予め決められた順番で順次変更して、前記選局された一のチャンネルに対応するケーブルテレビジョン放送信号を前記受信手段に受信させ、次いで、ケーブルテレビジョン放送信号の受信が成功したと判断した場合には、前記オートスキャン記憶手段に記憶されているチャンネルデータを、当該成功した際に設定していたチャンネルデータに更新するオートスキャン受信制御手段と、
直前に選局されたチャンネルにおける前記受信手段により受信されたケーブルテレビジョン放送信号の周波数テーブルを記憶する第１記憶手段と、
前記オートスキャン手段により得られた各チャンネルにおける前記受信手段により受信されたケーブルテレビジョン放送信号の変調方式を記憶する第２記憶手段と、
一のチャンネルを選局する選局手段と、
前記選局手段により一のチャンネルが選局された際に、前記第１記憶手段に記憶された周波数テーブルと、前記第２記憶手段に記憶された当該選局された一のチャンネルに対応する変調方式と、の組み合わせからなるチャンネルデータを、当該選局された一のチャンネルに対応するケーブルテレビジョン放送信号のチャンネルデータとして設定して、当該選局された一のチャンネルに対応するケーブルテレビジョン放送信号を前記受信手段に受信させる受信制御手段と、を備え、
前記受信制御手段は、
前記第１記憶手段に記憶された周波数テーブルと前記第２記憶手段に記憶された前記選局された一のチャンネルに対応する変調方式との組み合わせからなるチャンネルデータを設定することによってケーブルテレビジョン放送信号の受信が成功したか否かを判断し、次いで、ケーブルテレビジョン放送信号の受信が成功しなかったと判断した場合には、設定するチャンネルデータを予め決められた順番で順次変更して、当該選局された一のチャンネルに対応するケーブルテレビジョン放送信号を前記受信手段に受信させ、次いで、ケーブルテレビジョン放送信号の受信が成功したと判断した場合には、前記第１記憶手段に記憶されている周波数テーブルと、前記第２記憶手段に記憶されている当該選局された一のチャンネルに対応する変調方式と、を当該成功した際に設定していたチャンネルデータに含まれる周波数テーブルと変調方式とに更新することを特徴とするテレビジョン受像機。
【請求項２】
ケーブルテレビジョン放送信号を受信する受信手段と、
直前に選局されたチャンネルにおける前記受信手段により受信されたケーブルテレビジョン放送信号の周波数テーブルを記憶する第１記憶手段と、
オートスキャンにより得られた各チャンネルにおける前記受信手段により受信されたケーブルテレビジョン放送信号の変調方式を記憶する第２記憶手段と、
一のチャンネルを選局する選局手段と、
前記選局手段により一のチャンネルが選局された際に、前記第１記憶手段に記憶された周波数テーブルと、前記第２記憶手段に記憶された当該選局された一のチャンネルに対応する変調方式と、の組み合わせからなるチャンネルデータを、当該選局された一のチャンネルに対応するケーブルテレビジョン放送信号のチャンネルデータとして設定して、当該選局された一のチャンネルに対応するケーブルテレビジョン放送信号を前記受信手段に受信させる受信制御手段と、を備え、
前記受信制御手段は、
前記第１記憶手段に記憶された周波数テーブルと前記第２記憶手段に記憶された前記選局された一のチャンネルに対応する変調方式との組み合わせからなるチャンネルデータを設定することによってケーブルテレビジョン放送信号の受信が成功したか否かを判断し、ケーブルテレビジョン放送信号の受信が成功しなかったと判断した場合には、設定するチャンネルデータを予め決められた順番で順次変更して、当該選局された一のチャンネルに対応するケーブルテレビジョン放送信号を前記受信手段に受信させ、次いで、ケーブルテレビジョン放送信号の受信が成功したと判断した場合には、前記第１記憶手段に記憶されている周波数テーブルと、前記第２記憶手段に記憶されている当該選局された一のチャンネルに対応する変調方式と、を当該成功した際に設定していたチャンネルデータに含まれる周波数テーブルと変調方式とに更新することを特徴とするテレビジョン受像機。
【請求項３】
請求項２に記載のテレビジョン受像機において、
ケーブルテレビジョン放送信号の受信に成功した成功回数を、チャンネルデータ毎に記憶する成功回数記憶手段を備え、
前記受信制御手段は、前記成功回数記憶手段に記憶された成功回数の多いチャンネルデータから順に変更して設定することを特徴とするテレビジョン受像機。
【請求項４】
ケーブルテレビジョン放送信号を受信する受信手段と、
所定のタイミングで、チャンネル毎に、前記受信手段により受信されるケーブルテレビジョン放送信号の周波数テーブルと変調方式との組み合わせからなるチャンネルデータの設定を行うオートスキャン手段と、
前記オートスキャン手段によるオートスキャン時に、直前に選局されたチャンネルにおける前記受信手段により受信されたケーブルテレビジョン放送信号の周波数テーブルと変調方式との組み合わせからなるチャンネルデータを記憶するオートスキャン記憶手段と、を備え、
前記オートスキャン手段は、
一のチャンネルが選局された際に、前記オートスキャン記憶手段に記憶されたチャンネルデータを、当該選局された一のチャンネルに対応するケーブルテレビジョン放送信号のチャンネルデータとして設定して、当該選局された一のチャンネルに対応するケーブルテレビジョン放送信号を前記受信手段に受信させるオートスキャン受信制御手段を備え、
前記オートスキャン受信制御手段は、
前記オートスキャン記憶手段に記憶されたチャンネルデータを設定することによってケーブルテレビジョン放送信号の受信が成功したか否かを判断し、ケーブルテレビジョン放送信号の受信が成功しなかったと判断した場合には、設定するチャンネルデータを予め決められた順番で順次変更して、前記選局された一のチャンネルに対応するケーブルテレビジョン放送信号を前記受信手段に受信させ、次いで、ケーブルテレビジョン放送信号の受信が成功したと判断した場合には、前記オートスキャン記憶手段に記憶されているチャンネルデータを、当該成功した際に設定していたチャンネルデータに更新することを特徴とするテレビジョン受像機。
【請求項５】
請求項２に記載のテレビジョン受像機におけるチャンネル選局方法において、
前記選局手段によって、一のチャンネルを選局する選局ステップと、
前記選局ステップで一のチャンネルが選局された際に、前記受信制御手段によって、前記第１記憶手段に記憶された周波数テーブルと、前記第２記憶手段に記憶された当該選局された一のチャンネルに対応する変調方式と、の組み合わせからなるチャンネルデータを、当該選局された一のチャンネルに対応するケーブルテレビジョン放送信号のチャンネルデータとして設定して、当該選局された一のチャンネルに対応するケーブルテレビジョン放送信号を前記受信手段に受信させる第１受信制御ステップと、
前記受信制御手段によって、前記第１受信制御ステップでケーブルテレビジョン放送信号の受信が成功したか否かを判断する第１判断ステップと、
前記第１判断ステップでケーブルテレビジョン放送信号の受信が成功しなかったと判断した場合には、前記受信制御手段によって、設定するチャンネルデータを予め決められた順番で順次変更して、前記選局された一のチャンネルに対応するケーブルテレビジョン放送信号を前記受信手段に受信させる第２受信制御ステップと、
前記受信制御手段によって、前記第２受信制御ステップでケーブルテレビジョン放送信号の受信が成功したか否かを判断する第２判断ステップと、
前記第２判断ステップでケーブルテレビジョン放送信号の受信が成功したと判断した場合には、前記受信制御手段によって、前記第１記憶手段に記憶されている周波数テーブルと、前記第２記憶手段に記憶されている当該選局された一のチャンネルに対応する変調方式と、を当該成功した際に設定していたチャンネルデータに含まれる周波数テーブルと変調方式とに更新する更新ステップと、
を備えることを特徴とするチャンネル選局方法。
【請求項６】
請求項４に記載のテレビジョン受像機におけるチャンネルスキャン方法において、
前記オートスキャン受信制御手段によりオートスキャン中に一のチャンネルが選局された際に、当該オートスキャン受信制御手段によって、前記オートスキャン記憶手段に記憶されたチャンネルデータを、当該選局された一のチャンネルに対応するケーブルテレビジョン放送信号のチャンネルデータとして設定して、当該選局された一のチャンネルに対応するケーブルテレビジョン放送信号を前記受信手段に受信させる第１受信制御ステップと、
前記オートスキャン受信制御手段によって、前記第１受信制御ステップでケーブルテレビジョン放送信号の受信が成功したか否かを判断する第１判断ステップと、
前記第１判断ステップでケーブルテレビジョン放送信号の受信が成功しなかったと判断した場合には、前記オートスキャン受信制御手段によって、設定するチャンネルデータを予め決められた順番で順次変更して、前記選局された一のチャンネルに対応するケーブルテレビジョン放送信号を前記受信手段に受信させる第２受信制御ステップと、
前記オートスキャン受信制御手段によって、前記第２受信制御ステップでケーブルテレビジョン放送信号の受信が成功したか否かを判断する第２判断ステップと、
前記第２判断ステップでケーブルテレビジョン放送信号の受信が成功したと判断した場合には、前記オートスキャン受信制御手段によって、前記オートスキャン記憶手段に記憶されているチャンネルデータを、当該成功した際に設定していたチャンネルデータに更新する更新ステップと、
を備えることを特徴とするチャンネルスキャン方法。
【発明の詳細な説明】
【技術分野】
【０００１】
本発明は、テレビジョン受像機、チャンネル選局方法及びチャンネルスキャン方法に関する。
【背景技術】
【０００２】
地上波デジタル放送やケーブルテレビジョン（以下、「ＣＡＴＶ」という。）デジタル放送のテレビジョン放送信号（以下、「ＴＶ放送信号」という。）が受信可能なテレビジョン受像機が知られている（例えば、特許文献１参照。）。
このようなテレビジョン受像機においては、例えば、ユーザにより選局されたチャンネルに対応するＴＶ放送信号をすばやく受信するために、初期設定として、例えば、チャンネルをチャンネル（物理チャンネル）順にオートスキャンすることによって、ＴＶ放送信号のチャンネルデータをプリセットしておく必要がある。
【０００３】
例えば、米国の地上波デジタル放送の放送局は、１種類の変調方式（８ＶＳＢ（Vestigial Side Band））で変調したＴＶ放送信号のみを送出している。したがって、地上波デジタル放送のＴＶ放送信号（以下、「地上波ＴＶ放送信号」という。）の場合は、例えば、チャンネルをスキャンして、地上波ＴＶ放送信号の受信が成功したか否かを判断するだけで、チャンネルデータをプリセットすることができる。
一方、米国のＣＡＴＶデジタル放送の放送局は、３種類の変調方式（８ＶＳＢ、６４ＱＡＭ（Quadrature Amplitude Modulation）及び２５６ＱＡＭ）の何れかで変調したＴＶ放送信号を、３種類の周波数テーブル（ＳＴＤ（Standard Frequencies）、ＩＲＣ（Incremental Related Carriers）及びＨＲＣ（Harmonic Related Carriers））の何れかで送出している。したがって、ＣＡＴＶデジタル放送のＴＶ放送信号（ケーブルテレビジョン放送信号（以下、「ＣＡＴＶ放送信号」という。））の場合は、例えば、３種類の変調方式と３種類の周波数テーブルとを掛け合わせた９通りの組み合わせをそれぞれ設定し、そして、そのそれぞれの設定に対して、チャンネルをスキャンして、ＣＡＴＶ放送信号の受信が成功したか否かを判断しなければ、チャンネルデータをプリセットすることができない。
すなわち、地上波ＴＶ放送信号と比較して、ＣＡＴＶ放送信号は、チャンネルデータをプリセットするのに時間がかかってしまう。
【０００４】
そこで、ＣＡＴＶ放送信号のチャンネルデータをより短時間にプリセットするために、様々な方法が提案されている。
具体的には、ＣＡＴＶデジタル放送用のテレビジョン受像機において、ＣＡＴＶ放送で最も多く採用されている周波数テーブルから順に（ＳＴＤ、ＩＲＣ、ＨＲＣの順に）周波数テーブルを設定して、一のチャンネルに対応するＣＡＴＶ放送信号が受信可能な設定を判断し、そして、当該判断した設定において、他のチャンネルをスキャンして、ＣＡＴＶ放送信号が受信可能であるか否かを判断することにより、チャンネルデータをプリセットする方法（例えば、特許文献２参照。）、隣接するチャンネルの周波数帯域同士は隙間なく隣接していることから、一の送信バンド（ＣＡＴＶデジタル放送のバンドを五つに分けたうちの一のバンド）内では、一のチャンネルに対応するＣＡＴＶ放送信号の周波数テーブル及び変調方式の組み合わせと、他のチャンネルに対応するＣＡＴＶ放送信号の周波数テーブル及び変調方式の組み合わせと、が同一である確率が高いことを利用して、また、隣接するチャンネルの周波数帯域同士は隙間なく隣接していることから、隣接する送信バンド間では、一方の送信バンド中のチャンネルに対応するＣＡＴＶ放送信号の周波数テーブル及び変調方式の組み合わせと、他方の送信バンド中のチャンネルに対応するＣＡＴＶ放送信号の周波数テーブル及び変調方式の組み合わせと、が同一である確率が高いことを利用して、チャンネルデータをプリセットする方法（例えば、特許文献３参照。）などが提案されている。
【特許文献１】特開２００５−９４５５５号公報
【特許文献２】特開２００４−３６３６６０号公報
【特許文献３】特開２００３−２３００６０号公報
【発明の開示】
【発明が解決しようとする課題】
【０００５】
しかしながら、例えば、特許文献２の方法では、一のチャンネルに対応するＣＡＴＶ放送信号の周波数テーブルと、他のチャンネルに対応するＣＡＴＶ放送信号の周波数テーブルとが同一でなければ、当該他のチャンネルに対応するＣＡＴＶ放送信号のチャンネルデータはプリセットすることができない。
また、例えば、特許文献３の方法では、一の送信バンド内において周波数テーブル及び変調方式の組み合わせが同一でない場合や、隣接する送信バンド間で周波数テーブル及び変調方式の組み合わせが同一でない場合には、やはり、上記した９通りの組み合わせをそれぞれ設定して、ＣＡＴＶ放送信号の受信が成功したか否かを判断しなければチャンネルデータをプリセットすることができない。
さらに、特許文献２及び３の方法では、チャンネルデータが変更した場合等には、テレビジョン受像機の通常動作時におけるチャンネル選局を確実且つ迅速に行うことができない。
【０００６】
本発明の課題は、確実に、且つ、迅速に、ケーブルテレビジョンデジタル放送のテレビジョン放送信号のチャンネルデータを決定することができるテレビジョン受像機、チャンネル選局方法及びチャンネルスキャン方法を提供することにある。
【課題を解決するための手段】
【０００７】
上記課題を解決するために、請求項１に記載の発明は、デジタル方式のケーブルテレビジョン放送信号を受信する受信手段と、所定のタイミングで、チャンネル毎に、前記受信手段により受信されるケーブルテレビジョン放送信号の周波数テーブルと変調方式との組み合わせからなるチャンネルデータの設定を行うオートスキャン手段と、前記オートスキャン手段によるオートスキャン時に、直前に選局されたチャンネルにおける前記受信手段により受信されたケーブルテレビジョン放送信号の周波数テーブルと変調方式との組み合わせからなるチャンネルデータを記憶するオートスキャン記憶手段と、前記オートスキャン手段により、一のチャンネルが選局された際に、前記オートスキャン記憶手段に記憶されたチャンネルデータを、当該選局された一のチャンネルに対応するケーブルテレビジョン放送信号のチャンネルデータとして設定して、当該選局された一のチャンネルに対応するケーブルテレビジョン放送信号を前記受信手段に受信させ、次いで、ケーブルテレビジョン放送信号の受信が成功したか否かを判断し、ケーブルテレビジョン放送信号の受信が成功しなかったと判断した場合には、設定するチャンネルデータを予め決められた順番で順次変更して、前記選局された一のチャンネルに対応するケーブルテレビジョン放送信号を前記受信手段に受信させ、次いで、ケーブルテレビジョン放送信号の受信が成功したと判断した場合には、前記オートスキャン記憶手段に記憶されているチャンネルデータを、当該成功した際に設定していたチャンネルデータに更新するオートスキャン受信制御手段と、直前に選局されたチャンネルにおける前記受信手段により受信されたケーブルテレビジョン放送信号の周波数テーブルを記憶する第１記憶手段と、前記オートスキャン手段により得られた各チャンネルにおける前記受信手段により受信されたケーブルテレビジョン放送信号の変調方式を記憶する第２記憶手段と、一のチャンネルを選局する選局手段と、前記選局手段により一のチャンネルが選局された際に、前記第１記憶手段に記憶された周波数テーブルと、前記第２記憶手段に記憶された当該選局された一のチャンネルに対応する変調方式と、の組み合わせからなるチャンネルデータを、当該選局された一のチャンネルに対応するケーブルテレビジョン放送信号のチャンネルデータとして設定して、当該選局された一のチャンネルに対応するケーブルテレビジョン放送信号を前記受信手段に受信させる受信制御手段と、を備え、前記受信制御手段は、前記第１記憶手段に記憶された周波数テーブルと前記第２記憶手段に記憶された前記選局された一のチャンネルに対応する変調方式との組み合わせからなるチャンネルデータを設定することによってケーブルテレビジョン放送信号の受信が成功したか否かを判断し、次いで、ケーブルテレビジョン放送信号の受信が成功しなかったと判断した場合には、設定するチャンネルデータを予め決められた順番で順次変更して、当該選局された一のチャンネルに対応するケーブルテレビジョン放送信号を前記受信手段に受信させ、次いで、ケーブルテレビジョン放送信号の受信が成功したと判断した場合には、前記第１記憶手段に記憶されている周波数テーブルと、前記第２記憶手段に記憶されている当該選局された一のチャンネルに対応する変調方式と、を当該成功した際に設定していたチャンネルデータに含まれる周波数テーブルと変調方式とに更新することを特徴とする。
【０００８】
請求項２に記載の発明は、ケーブルテレビジョン放送信号を受信する受信手段と、直前に選局されたチャンネルにおける前記受信手段により受信されたケーブルテレビジョン放送信号の周波数テーブルを記憶する第１記憶手段と、オートスキャンにより得られた各チャンネルにおける前記受信手段により受信されたケーブルテレビジョン放送信号の変調方式を記憶する第２記憶手段と、一のチャンネルを選局する選局手段と、前記選局手段により一のチャンネルが選局された際に、前記第１記憶手段に記憶された周波数テーブルと、前記第２記憶手段に記憶された当該選局された一のチャンネルに対応する変調方式と、の組み合わせからなるチャンネルデータを、当該選局された一のチャンネルに対応するケーブルテレビジョン放送信号のチャンネルデータとして設定して、当該選局された一のチャンネルに対応するケーブルテレビジョン放送信号を前記受信手段に受信させる受信制御手段と、を備え、前記受信制御手段は、前記第１記憶手段に記憶された周波数テーブルと前記第２記憶手段に記憶された前記選局された一のチャンネルに対応する変調方式との組み合わせからなるチャンネルデータを設定することによってケーブルテレビジョン放送信号の受信が成功したか否かを判断し、ケーブルテレビジョン放送信号の受信が成功しなかったと判断した場合には、設定するチャンネルデータを予め決められた順番で順次変更して、当該選局された一のチャンネルに対応するケーブルテレビジョン放送信号を前記受信手段に受信させ、次いで、ケーブルテレビジョン放送信号の受信が成功したと判断した場合には、前記第１記憶手段に記憶されている周波数テーブルと、前記第２記憶手段に記憶されている当該選局された一のチャンネルに対応する変調方式と、を当該成功した際に設定していたチャンネルデータに含まれる周波数テーブルと変調方式とに更新することを特徴とする。
【０００９】
請求項３に記載の発明は、請求項２に記載のテレビジョン受像機において、ケーブルテレビジョン放送信号の受信に成功した成功回数を、チャンネルデータ毎に記憶する成功回数記憶手段を備え、前記受信制御手段は、前記成功回数記憶手段に記憶された成功回数の多いチャンネルデータから順に変更して設定することを特徴とする。
【００１０】
請求項４に記載の発明は、ケーブルテレビジョン放送信号を受信する受信手段と、所定のタイミングで、チャンネル毎に、前記受信手段により受信されるケーブルテレビジョン放送信号の周波数テーブルと変調方式との組み合わせからなるチャンネルデータの設定を行うオートスキャン手段と、前記オートスキャン手段によるオートスキャン時に、直前に選局されたチャンネルにおける前記受信手段により受信されたケーブルテレビジョン放送信号の周波数テーブルと変調方式との組み合わせからなるチャンネルデータを記憶するオートスキャン記憶手段と、を備え、前記オートスキャン手段は、一のチャンネルが選局された際に、前記オートスキャン記憶手段に記憶されたチャンネルデータを、当該選局された一のチャンネルに対応するケーブルテレビジョン放送信号のチャンネルデータとして設定して、当該選局された一のチャンネルに対応するケーブルテレビジョン放送信号を前記受信手段に受信させるオートスキャン受信制御手段を備え、前記オートスキャン受信制御手段は、前記オートスキャン記憶手段に記憶されたチャンネルデータを設定することによってケーブルテレビジョン放送信号の受信が成功したか否かを判断し、ケーブルテレビジョン放送信号の受信が成功しなかったと判断した場合には、設定するチャンネルデータを予め決められた順番で順次変更して、前記選局された一のチャンネルに対応するケーブルテレビジョン放送信号を前記受信手段に受信させ、次いで、ケーブルテレビジョン放送信号の受信が成功したと判断した場合には、前記オートスキャン記憶手段に記憶されているチャンネルデータを、当該成功した際に設定していたチャンネルデータに更新することを特徴とする。
【００１１】
請求項５に記載の発明は、請求項２に記載のテレビジョン受像機におけるチャンネル選局方法において、前記選局手段によって、一のチャンネルを選局する選局ステップと、
前記選局ステップで一のチャンネルが選局された際に、前記受信制御手段によって、前記第１記憶手段に記憶された周波数テーブルと、前記第２記憶手段に記憶された当該選局された一のチャンネルに対応する変調方式と、の組み合わせからなるチャンネルデータを、当該選局された一のチャンネルに対応するケーブルテレビジョン放送信号のチャンネルデータとして設定して、当該選局された一のチャンネルに対応するケーブルテレビジョン放送信号を前記受信手段に受信させる第１受信制御ステップと、前記受信制御手段によって、前記第１受信制御ステップでケーブルテレビジョン放送信号の受信が成功したか否かを判断する第１判断ステップと、前記第１判断ステップでケーブルテレビジョン放送信号の受信が成功しなかったと判断した場合には、前記受信制御手段によって、設定するチャンネルデータを予め決められた順番で順次変更して、前記選局された一のチャンネルに対応するケーブルテレビジョン放送信号を前記受信手段に受信させる第２受信制御ステップと、
前記受信制御手段によって、前記第２受信制御ステップでケーブルテレビジョン放送信号の受信が成功したか否かを判断する第２判断ステップと、前記第２判断ステップでケーブルテレビジョン放送信号の受信が成功したと判断した場合には、前記受信制御手段によって、前記第１記憶手段に記憶されている周波数テーブルと、前記第２記憶手段に記憶されている当該選局された一のチャンネルに対応する変調方式と、を当該成功した際に設定していたチャンネルデータに含まれる周波数テーブルと変調方式とに更新する更新ステップと、を備えることを特徴とする。
【００１２】
請求項６に記載の発明は、請求項４に記載のテレビジョン受像機におけるチャンネルスキャン方法において、前記オートスキャン受信制御手段によりオートスキャン中に一のチャンネルが選局された際に、当該オートスキャン受信制御手段によって、前記オートスキャン記憶手段に記憶されたチャンネルデータを、当該選局された一のチャンネルに対応するケーブルテレビジョン放送信号のチャンネルデータとして設定して、当該選局された一のチャンネルに対応するケーブルテレビジョン放送信号を前記受信手段に受信させる第１受信制御ステップと、前記オートスキャン受信制御手段によって、前記第１受信制御ステップでケーブルテレビジョン放送信号の受信が成功したか否かを判断する第１判断ステップと、前記第１判断ステップでケーブルテレビジョン放送信号の受信が成功しなかったと判断した場合には、前記オートスキャン受信制御手段によって、設定するチャンネルデータを予め決められた順番で順次変更して、前記選局された一のチャンネルに対応するケーブルテレビジョン放送信号を前記受信手段に受信させる第２受信制御ステップと、前記オートスキャン受信制御手段によって、前記第２受信制御ステップでケーブルテレビジョン放送信号の受信が成功したか否かを判断する第２判断ステップと、前記第２判断ステップでケーブルテレビジョン放送信号の受信が成功したと判断した場合には、前記オートスキャン受信制御手段によって、前記オートスキャン記憶手段に記憶されているチャンネルデータを、当該成功した際に設定していたチャンネルデータに更新する更新ステップと、を備えることを特徴とする。
【発明の効果】
【００１３】
請求項１に記載の発明によれば、オートスキャン手段は、一のチャンネルが選局された際に、オートスキャン記憶手段に記憶されたチャンネルデータを、当該選局された一のチャンネルに対応するケーブルテレビジョン放送信号のチャンネルデータとして設定して、当該選局された一のチャンネルに対応するケーブルテレビジョン放送信号を受信手段に受信させるオートスキャン受信制御手段を備えている。
すなわち、隣接するチャンネルの周波数帯域同士は隙間なく隣接していることから、一のチャンネルに対応するケーブルテレビジョン放送信号の周波数テーブル及び変調方式の組み合わせ（チャンネルデータ）と、当該一のチャンネルに隣接するチャンネルに対応するケーブルテレビジョン放送信号の周波数テーブル及び変調方式の組み合わせ（チャンネルデータ）と、が同一である確率が高いことを利用して、当該選局された一のチャンネルに対応するケーブルテレビジョン放送信号のチャンネルデータを設定することができるため、確実に、且つ、迅速に、ケーブルテレビジョンデジタル放送のテレビジョン放送信号のチャンネルデータを決定することができる。
【００１４】
さらに、オートスキャン受信制御手段は、オートスキャン記憶手段に記憶されたチャンネルデータを設定することによってケーブルテレビジョン放送信号の受信が成功したか否かを判断し、ケーブルテレビジョン放送信号の受信が成功しなかったと判断した場合には、設定するチャンネルデータを予め決められた順番で順次変更して、選局された一のチャンネルに対応するケーブルテレビジョン放送信号を受信手段に受信させ、次いで、ケーブルテレビジョン放送信号の受信が成功したと判断した場合には、オートスキャン記憶手段に記憶されているチャンネルデータを、当該成功した際に設定していたチャンネルデータに更新することができる。
すなわち、隣接するチャンネルに対応するケーブルテレビジョン放送信号同士のチャンネルデータが同一でない場合には、予め決められた順番（例えば、ケーブルテレビジョン放送で最も多く採用されているチャンネルデータの順番）で、設定するチャンネルデータを変更することができる。したがって、隣接するチャンネルに対応するケーブルテレビジョン放送信号同士のチャンネルデータが同一でなくても、確実に、且つ、迅速に、ケーブルテレビジョンデジタル放送のテレビジョン放送信号のチャンネルデータを決定することができる。
【００１５】
また、受信制御手段によって、選局手段により一のチャンネルが選局された際に、第１記憶手段に記憶された周波数テーブルと、第２記憶手段に記憶された当該選局された一のチャンネルに対応する変調方式と、の組み合わせからなるチャンネルデータを、当該選局された一のチャンネルに対応するケーブルテレビジョン放送信号のチャンネルデータとして設定して、当該選局された一のチャンネルに対応するケーブルテレビジョン放送信号を受信手段に受信させることができ、そして、受信制御手段は、第１記憶手段に記憶された周波数テーブルと第２記憶手段に記憶された当該選局された一のチャンネルに対応する変調方式との組み合わせからなるチャンネルデータを設定することによってケーブルテレビジョン放送信号の受信が成功したか否かを判断し、ケーブルテレビジョン放送信号の受信が成功しなかったと判断した場合には、設定するチャンネルデータを予め決められた順番で順次変更して、選局された一のチャンネルに対応するケーブルテレビジョン放送信号を受信手段に受信させ、次いで、ケーブルテレビジョン放送信号の受信が成功したと判断した場合には、第１記憶手段に記憶されている周波数テーブルと、第２記憶手段に記憶されている当該選局された一のチャンネルに対応する変調方式と、を当該成功した際に設定していたチャンネルデータに含まれる周波数テーブルと変調方式とに更新することができる。
すなわち、第１記憶手段に記憶された周波数テーブルと第２記憶手段に記憶された変調方式との組み合わせからなるチャンネルデータを設定することによって、ケーブルテレビジョン放送信号の受信が成功しなかった場合には、予め決められた順番（例えば、ケーブルテレビジョン放送で最も多く採用されているチャンネルデータの順番）で、設定するチャンネルデータを変更することができる。したがって、確実に、且つ、迅速に、ケーブルテレビジョンデジタル放送のテレビジョン放送信号のチャンネルデータを決定することができる。
【００１６】
請求項２及び５に記載の発明によれば、受信制御手段によって、選局手段により一のチャンネルが選局された際に、第１記憶手段に記憶された周波数テーブルと、第２記憶手段に記憶された当該選局された一のチャンネルに対応する変調方式と、の組み合わせからなるチャンネルデータを、当該選局された一のチャンネルに対応するケーブルテレビジョン放送信号のチャンネルデータとして設定して、当該選局された一のチャンネルに対応するケーブルテレビジョン放送信号を受信手段に受信させることができ、そして、受信制御手段は、第１記憶手段に記憶された周波数テーブルと第２記憶手段に記憶された当該選局された一のチャンネルに対応する変調方式との組み合わせからなるチャンネルデータを設定することによってケーブルテレビジョン放送信号の受信が成功したか否かを判断し、ケーブルテレビジョン放送信号の受信が成功しなかったと判断した場合には、設定するチャンネルデータを予め決められた順番で順次変更して、選局された一のチャンネルに対応するケーブルテレビジョン放送信号を受信手段に受信させ、次いで、ケーブルテレビジョン放送信号の受信が成功したと判断した場合には、第１記憶手段に記憶されている周波数テーブルと、第２記憶手段に記憶されている当該選局された一のチャンネルに対応する変調方式と、を当該成功した際に設定していたチャンネルデータに含まれる周波数テーブルと変調方式とに更新することができる。
すなわち、第１記憶手段に記憶された周波数テーブルと第２記憶手段に記憶された変調方式との組み合わせからなるチャンネルデータを設定することによって、ケーブルテレビジョン放送信号の受信が成功しなかった場合には、予め決められた順番（例えば、ケーブルテレビジョン放送で最も多く採用されているチャンネルデータの順番）で、設定するチャンネルデータを変更することができる。したがって、確実に、且つ、迅速に、ケーブルテレビジョンデジタル放送のテレビジョン放送信号のチャンネルデータを決定することができる。
【００１７】
請求項３に記載の発明によれば、請求項２に記載の発明と同様の効果が得られることは無論のこと、受信制御手段は、成功回数記憶手段に記憶された成功回数の多いチャンネルデータから順に変更して設定することができる。
すなわち、予め決められた順番が、成功回数の多いチャンネルデータの順であるため、より一層、確実に、且つ、迅速に、ケーブルテレビジョンデジタル放送のテレビジョン放送信号のチャンネルデータを決定することができる。
【００１８】
請求項４及び６に記載の発明によれば、オートスキャン手段は、一のチャンネルが選局された際に、オートスキャン記憶手段に記憶されたチャンネルデータを、当該選局された一のチャンネルに対応するケーブルテレビジョン放送信号のチャンネルデータとして設定して、当該選局された一のチャンネルに対応するケーブルテレビジョン放送信号を受信手段に受信させるオートスキャン受信制御手段を備えている。
すなわち、隣接するチャンネルの周波数帯域同士は隙間なく隣接していることから、一のチャンネルに対応するケーブルテレビジョン放送信号の周波数テーブル及び変調方式の組み合わせ（チャンネルデータ）と、当該一のチャンネルに隣接するチャンネルに対応するケーブルテレビジョン放送信号の周波数テーブル及び変調方式の組み合わせ（チャンネルデータ）と、が同一である確率が高いことを利用して、当該選局された一のチャンネルに対応するケーブルテレビジョン放送信号のチャンネルデータを設定することができるため、確実に、且つ、迅速に、ケーブルテレビジョンデジタル放送のテレビジョン放送信号のチャンネルデータを決定することができる。
さらに、オートスキャン受信制御手段は、オートスキャン記憶手段に記憶されたチャンネルデータを設定することによってケーブルテレビジョン放送信号の受信が成功したか否かを判断し、ケーブルテレビジョン放送信号の受信が成功しなかったと判断した場合には、設定するチャンネルデータを予め決められた順番で順次変更して、選局された一のチャンネルに対応するケーブルテレビジョン放送信号を受信手段に受信させ、次いで、ケーブルテレビジョン放送信号の受信が成功したと判断した場合には、オートスキャン記憶手段に記憶されているチャンネルデータを、当該成功した際に設定していたチャンネルデータに更新することができる。
すなわち、オートスキャン記憶手段に記憶されたチャンネルデータを設定することによって、ケーブルテレビジョン放送信号の受信が成功しなかった場合には、予め決められた順番（例えば、ケーブルテレビジョン放送で最も多く採用されているチャンネルデータの順番）で、設定するチャンネルデータを変更することができる。したがって、隣接するチャンネルに対応するケーブルテレビジョン放送信号同士のチャンネルデータが同一でなくても、確実に、且つ、迅速に、ケーブルテレビジョンデジタル放送のテレビジョン放送信号のチャンネルデータを決定することができる。
【発明を実施するための最良の形態】
【００１９】
以下、図を参照して、本発明にかかるテレビジョン受像機の最良の形態を詳細に説明する。なお、発明の範囲は、図示例に限定されない。
【００２０】
＜テレビジョン受像機の構成＞
まず、テレビジョン受像機１の構成について、図１を参照して説明する。
テレビジョン受像機１は、例えば、ＳＴＢ（Set Top Box）である。
具体的には、テレビジョン受像機１は、例えば、アンテナ１１やＣＡＴＶ回線（図示省略）を接続したチューナ１２と、フロントエンド１３と、デコーダ１４と、ＯＳＤ回路１５と、リモコン受信部１６と、記憶部１７と、制御部１８と、などを備えて構成される。各部は、バス１０によって接続されている。
また、テレビジョン受像機１は、例えば、デコーダ１４によって、音声出力部３１や画像表示部３２を有する出力装置３を接続している
また、テレビジョン受像機１は、例えば、リモコン受信部１６と通信可能な、テレビジョン受像機１及び出力装置３用のリモートコントローラＲ（以下、「リモコンＲ」という。）を備えている。
【００２１】
チューナ１２は、例えば、制御部１８から入力される制御信号に従って、受信手段として、ＣＡＴＶ回線（図示省略）から送信されたデジタル方式のＣＡＴＶ放送信号の中から、一のチャンネルに対応する周波数帯域に存在するＣＡＴＶ放送信号を受信して、フロントエンド１３に出力する。
具体的には、チューナ１２は、例えば、ＣＡＴＶ回線（図示省略）から送信されたＣＡＴＶ放送信号を、制御部１８により設定された中心周波数（一のチャンネルに対応する中心周波数）に同調させることによって、当該一のチャンネルに対応するＣＡＴＶ放送信号を受信し、当該受信したＣＡＴＶ放送信号を中間周波信号に変換して、フロントエンド１３に出力する。
また、チューナ１２は、例えば、制御部１８から入力される制御信号に従って、アンテナ１１により受信されたデジタル方式の地上波ＴＶ放送信号の中から、一のチャンネルに対応する周波数帯域に存在する地上波ＴＶ放送信号を受信して、フロントエンド１３に出力する。
【００２２】
ここで、各チャンネルに対応するＣＡＴＶ放送信号が存在する周波数帯域の中心周波数について、例えば、ＥＩＡ/ＣＥＡ−５４２−Ａ規格により規定された中心周波数の値を示す図２を参照して説明する。
ＣＡＴＶデジタル放送の放送局は、例えば、３種類の変調方式（８ＶＳＢ、６４ＱＡＭ及び２５６ＱＡＭ）の何れかで変調したＣＡＴＶ放送信号を、３種類の周波数テーブル（ＳＴＤ、ＩＲＣ及びＨＲＣ）の何れかで送出しているとする。そして、テレビジョン受像機１により受信可能なチャンネル（物理チャンネル）は、例えば、１〜１３５Ｃｈであり、各チャンネルに割り当てられた周波数帯域の幅は、例えば、６ＭＨｚであるとする。
【００２３】
例えば、図２に示すように、周波数テーブルがＳＴＤの場合、変調方式がＶＳＢ（８ＶＳＢ）のＣＡＴＶ放送信号の中心周波数の値は、各チャンネルの周波数帯域の下側エッジ（ＬＥＣ）の値に０．３１ＭＨｚを加算した値であり、変調方式がＱＡＭ（６４ＱＭＡ及び２５６ＱＡＭ）のＣＡＴＶ放送信号の中心周波数の値は、ＬＥＣの値に３ＭＨｚを加算した値である。
また、周波数テーブルがＩＲＣの場合、変調方式がＶＳＢ（８ＶＳＢ）のＣＡＴＶ放送信号の中心周波数の値は、各チャンネルのＬＥＣの値に０．３１ＭＨｚを加算した値であり、変調方式がＱＡＭ（６４ＱＭＡ及び２５６ＱＡＭ）のＣＡＴＶ放送信号の中心周波数の値は、ＬＥＣの値に３ＭＨｚを加算した値である。
また、周波数テーブルがＨＲＣの場合、変調方式がＶＳＢ（８ＶＳＢ）のＣＡＴＶ放送信号の中心周波数の値は、各チャンネルのＬＥＣの値に０．９４ＭＨｚを減算した値であり、変調方式がＱＡＭ（６４ＱＭＡ及び２５６ＱＡＭ）のＣＡＴＶ放送信号の中心周波数の値は、各チャンネルのＬＥＣの値に１．７５ＭＨｚを加算した値である。
すなわち、一のチャンネルに対応する中心周波数の値は、当該一のチャンネルのＬＥＣの値と、チャンネルデータに含まれる周波数テーブルと変調方式との組み合わせと、に基づいて算出することができる。
ここで、周波数テーブルがＳＴＤの場合とＩＲＣの場合とでは中心周波数の値は同一である。すなわち、周波数テーブルの種類は、形式的には３種類であるが、実質的には２種類（ＳＴＤ（又はＩＲＣ）及びＨＲＣ）であるため、以下、ＩＲＣをＳＴＤに含め、ＩＲＣは省略することとする。したがって、ＣＡＴＶ放送信号の周波数テーブルと変調方式との組み合わせからなるチャンネルデータは、本実施の形態においては、２種類の周波数テーブル（ＳＴＤ及びＨＲＣ）と３種類の変調方式（８ＶＳＢ、６４ＱＡＭ及び２５６ＱＡＭ）とを掛け合わせた６通りの組み合わせからなる。
【００２４】
フロントエンド１３は、例えば、制御部１８から入力される制御信号に従って、チューナ１２から出力されたＣＡＴＶ放送信号（又は地上波ＴＶ放送信号）を、８ＶＳＢ、６４ＱＡＭ、２５６ＱＡＭなどの変調方式に対応した復調方式で復調して、デコーダ１４に出力する。
【００２５】
デコーダ１４は、例えば、制御部１８から入力される制御信号に従って、フロントエンド１３から出力されたＣＡＴＶ放送信号（又は地上波ＴＶ放送信号）に対して所定のファイル形式（例えば、ＭＰＥＧ−２（Moving Picture Experts Group phase 2）形式等）に応じた処理を施すことによって、当該ＣＡＴＶ放送信号（又は地上波ＴＶ放送信号）をデコードする。そして、当該デコードしたＣＡＴＶ放送信号（又は地上波ＴＶ放送信号）を、音声信号と画像信号とに分離して、音声信号を出力装置３の音声出力部３１に出力するとともに、画像信号を出力装置３の画像表示部３２に出力する。
【００２６】
出力装置３が有する音声出力部３１は、例えば、スピーカ機器等であり、デコーダ１４から出力された音声信号に基づく音声データに応じた音声を出力する。
出力装置３が有する画像表示部３２は、例えば、液晶表示機器等であり、デコーダ１４から出力された画像信号に基づく画像データに応じた画像や、デコーダ１４から出力されてＯＳＤ回路１５によりＯＳＤ表示信号（後述）が合成された画像信号に基づく画像データに応じた画像を表示する。
【００２７】
ＯＳＤ回路１５は、例えば、制御部１８から入力される制御信号に従って、出力装置３の画像表示部３２に所定のオンスクリーンディスプレイ（ＯＳＤ）表示をさせるためのＯＳＤ表示信号を、デコーダ１４から出力装置３の画像表示部３２に出力される画像信号に合成する。
【００２８】
リモコン受信部１６は、例えば、リモコンＲから送信された各種信号を受信し、当該受信した各種信号に基づく各種データを、制御部１８に出力する。
リモコンＲは、例えば、ユーザにより操作され、当該操作に応じた信号をリモコン受信部１６に送信する。
具体的には、リモコンＲは、例えば、選局手段として、ユーザが一のチャンネルを選局する際に使用される。
【００２９】
記憶部１７は、例えば、磁気的記憶媒体、光学的記憶媒体若しくは半導体メモリで構成される。
具体的には、記憶部１７には、例えば、図１に示すように、Lastチャンネルデータテーブル１７１と、チャンネルマップ１７２と、成功回数データテーブル１７３と、などが記憶されている。
【００３０】
Lastチャンネルデータテーブル１７１は、例えば、第１記憶手段及びオートスキャン記憶手段として、オートスキャンプログラム１８３１を実行したＣＰＵ１８１（後述）によるオートスキャン時に、或いは、通常動作プログラム１８３２を実行したＣＰＵ１８１（後述）による通常動作時に、直前に選局されたチャンネルにおけるチューナ１２により受信されたＣＡＴＶ放送信号の周波数テーブルと変調方式との組み合わせからなるチャンネルデータを記憶する。
具体的には、Lastチャンネルデータテーブル１７１は、例えば、図３に示すように、「Lastチャンネルデータ」記憶領域１７１ａと、「地上波/ケーブル識別フラグ」１７１ｂと、などを有している。
【００３１】
「Lastチャンネルデータ」記憶領域１７１ａは、例えば、周波数テーブルを記憶する「Last Modulation」記憶領域や、変調方式を記憶する「Last Freq Table」記憶領域を有している。
「地上波/ケーブル識別フラグ」記憶領域１７１ｂには、例えば、ユーザによるリモコンＲの操作等によって、ＣＡＴＶ放送信号のチャンネルデータをプリセット等するよう指示されると、“ケーブル”が記憶され、地上波ＴＶ放送信号のチャンネルデータをプリセット等するよう指示されると、“地上波”が記憶されるようになっている。
【００３２】
ここで、テレビジョン受像機１の工場出荷時においては、例えば、図３に示すように、「Lastチャンネルデータ」記憶領域１７１ａの「Last Modulation」記憶領域には“２５６ＱＡＭ”が記憶され、「Lastチャンネルデータ」記憶領域１７１ａの「Last Freq Table」記憶領域には“ＳＴＤ”が記憶され、「地上波/ケーブル識別フラグ」記憶領域１７１ｂには“地上波”が記憶されていることとする。
【００３３】
チャンネルマップ１７２は、例えば、第２記憶手段として、オートスキャンプログラム１８３１を実行したＣＰＵ１８１（後述）によるオートスキャンにより得られた、各チャンネルにおけるチューナ１２により受信されたＣＡＴＶ放送信号の周波数テーブルと変調方式との組み合わせからなるチャンネルデータを記憶する。
具体的には、チャンネルマップ１７２は、例えば、図４に示すように、「チャンネル」記憶領域１７２ａと、「ADD/DELETEフラグ」記憶領域１７２ｂと、「チャンネルデータ」記憶領域１７２ｃと、などを有している。
【００３４】
「チャンネル」記憶領域１７２ａは、例えば、テレビジョン受像機１により受信可能なチャンネル（物理チャンネル）を記憶している。
「ADD/DELETEフラグ」記憶領域１７２ｂには、例えば、オートスキャンプログラム１８３１を実行したＣＰＵ１８１（後述）によるオートスキャン時に、ＣＡＴＶ放送信号の受信が成功すると“○（マル）”が記憶され、ＣＡＴＶ放送信号の受信が失敗すると“×（バツ）”が記憶されるようになっている。
「チャンネルデータ」記憶領域１７２ｃは、例えば、周波数テーブルを記憶する「Ch Modulation」記憶領域や、変調方式を記憶する「Ch Freq Table」記憶領域を有している。
【００３５】
ここで、テレビジョン受像機１の工場出荷時においては、例えば、図４に示すように、全ての「ADD/DELETEフラグ」記憶領域１７２ｂには、“×”が記憶され、「チャンネルデータ」記憶領域１７２ｃの全ての「Ch Modulation」記憶領域には“６４ＱＡＭ”が記憶され、「チャンネルデータ」記憶領域１７２ｃの全ての「Ch Freq Table」記憶領域には、“ＳＴＤ”が記憶されていることとする。
【００３６】
成功回数データテーブル１７３は、例えば、成功回数記憶手段として、ＣＡＴＶ放送信号の受信に成功した成功回数を、チャンネルデータ毎に記憶する。
具体的には、決定回数データテーブル１７３は、例えば、図５に示すように、変調方式を記憶する「変調方式」記憶領域と周波数テーブルを記憶する「周波数テーブル」記憶領域とを有する「成功チャンネルデータ」記憶領域１７３ａと、ＣＡＴＶ放送信号の受信に成功した成功回数を記憶する「成功回数」記憶領域１７３ｂと、などを有している。
ここで、テレビジョン受像機１の工場出荷時においては、例えば、図５に示すように、全ての「成功回数」記憶領域１７３ｂには、“０（ゼロ）”が記憶されていることとする。
【００３７】
制御部１８は、例えば、図１に示すように、ＣＰＵ（Central Processing Unit）１８１と、ＲＡＭ（Random Access Memory）１８２と、ＲＯＭ（Read Only Memory）１８３と、などを備えている。
【００３８】
ＣＰＵ１８１は、ＲＯＭ１８３に記憶されたテレビジョン受像機１用の各種処理プログラムに従って、各種の制御動作を行う。
【００３９】
ＲＡＭ１８２は、ＣＰＵ１８１によって実行される処理プログラムなどを展開するためのプログラム格納領域や、入力データや上記処理プログラムが実行される際に生じる処理結果などを格納するデータ格納領域などを備える。
【００４０】
ＲＯＭ１８３は、テレビジョン受像機１で実行可能なシステムプログラム、当該システムプログラムで実行可能な各種処理プログラム、これら各種処理プログラムを実行する際に使用されるデータ、ＣＰＵ１８１によって演算処理された各種結果のデータなどを記憶する。なお、プログラムは、コンピュータが読み取り可能なプログラムコードの形でＲＯＭ１８３に記憶されている。
具体的には、ＲＯＭ１８３は、例えば、オートスキャンプログラム１８３１と、通常動作プログラム１８３２と、などを記憶している。
【００４１】
オートスキャンプログラム１８３１は、所定のタイミングで、チャンネル毎に、チューナ１２により受信されるＣＡＴＶ放送信号のチャンネルデータの設定（プリセット）を行う機能を、ＣＰＵ１８１に実現させる。
ここで、所定のタイミングとは、例えば、ユーザによるリモコンＲの操作等によって、チャンネルをオートスキャンすることにより、ＣＡＴＶ放送信号のチャンネルデータのプリセットを行うよう指示されたタイミングである。
【００４２】
具体的には、ＣＰＵ１８１は、例えば、チャンネルスキャン中にＣＰＵ１８１により一のチャンネルが選局された際に、Lastチャンネルデータテーブル１７１の「Lastチャンネルデータ」記憶領域１７１ａに記憶されたチャンネルデータを、当該選局された一のチャンネルに対応するＣＡＴＶ放送信号のチャンネルデータとして設定して、当該選局された一のチャンネルに対応するＣＡＴＶ放送信号をチューナ１２に受信させる。そして、Lastチャンネルテーブル１７１の「Lastチャンネルデータ」記憶領域１７１ａに記憶されたチャンネルデータを設定することによってＣＡＴＶ放送信号の受信が成功したか否かを判断し、ＣＡＴＶ放送信号の受信が成功しなかったと判断した場合には、設定するチャンネルデータを予め決められた順番で順次変更して、当該選局された一のチャンネルに対応するＣＡＴＶ放送信号をチューナ１２に受信させ、次いで、ＣＡＴＶ放送信号の受信が成功したと判断した場合には、Lastチャンネルデータテーブル１７１に記憶されているチャンネルデータを、当該成功した際に設定していたチャンネルデータに更新する。
ここで、チャンネルデータを設定するとは、例えば、選局された一のチャンネルのＬＥＣと、チャンネルデータに含まれる周波数テーブルと変調方式との組み合わせと、に基づいて算出した一のチャンネルに対応する中心周波数をチューナ１２に設定するとともに、チャンネルデータに含まれる変調方式に対応した復調方式をフロントエンド１３に設定することである。
また、予め決められた順番とは、例えば、ＣＡＴＶ放送で最も多く採用されている周波数テーブルの順及び変調方式の順である。具体的には、例えば、Lastチャンネルデータテーブル１７１の「Lastチャンネルデータ」記憶領域１７１ａの「Last Freq Table」が、ＳＴＤのときはＳＴＤ→ＨＲＣの順、ＨＲＣのときはＨＲＣ→ＳＴＤの順であり、Lastチャンネルデータテーブル１７１の「Lastチャンネルデータ」記憶領域１７１ａの「Last Modulation」が、６４ＱＡＭのとき６４ＱＡＭ→２５６ＱＡＭ→８ＶＳＢの順、２５６ＱＡＭのときは２５６ＡＱＭ→６４ＱＡＭ→８ＶＡＢの順、８ＶＳＢのときは８ＶＳＢ→２５６ＱＡＭ→６４ＱＡＭの順である。
また、ＣＡＴＶ放送信号の受信が成功したか否かは、例えば、フロントエンド１３からＣＡＴＶ放送信号が出力されたか否かによって判断する。具体的には、フロントエンド１３からＣＡＴＶ放送信号が出力された場合には、ＣＡＴＶ放送信号の受信が成功したと判断し、フロントエンド１３からＣＡＴＶ放送信号が出力されない場合には、ＣＡＴＶ放送信号の受信が失敗したと判断する。
ＣＰＵ１８１は、かかるオートスキャンプログラム１８３１を実行することによって、オートスキャン手段及びオートスキャン受信制御手段として機能する。
【００４３】
通常動作プログラム１８３２は、例えば、ユーザによるリモコンＲの操作等により一のチャンネルが選局された際に、Lastチャンネルデータテーブル１７１の「Lastチャンネルデータ」記憶領域１７１ａの「Last Freq Table」記憶領域に記憶された周波数テーブルと、チャンネルマップ１７２の「チャンネルデータ」記憶領域１７２ｃの「Ch Modulation」記憶領域に記憶された当該選局された一のチャンネルに対応する変調方式と、の組み合わせからなるチャンネルデータを、当該選局された一のチャンネルに対応するＣＡＴＶ放送信号のチャンネルデータとして設定して、当該選局された一のチャンネルに対応するＣＡＴＶ放送信号をチューナ１２に受信させる機能を、ＣＰＵ１８１に実現させる。
【００４４】
具体的には、ＣＰＵ１８１は、Lastチャンネルデータテーブル１７１の「Lastチャンネルデータ」記憶領域１７１ａの「Last Freq Table」記憶領域に記憶された周波数テーブルとチャンネルマップ１７２の「チャンネルデータ」記憶領域１７２ｃの「Ch Modulation」記憶領域に記憶された当該選局された一のチャンネルに対応する変調方式との組み合わせからなるチャンネルデータを設定することによってＣＡＴＶ放送信号の受信が成功したか否かを判断し、ＣＡＴＶ放送信号の受信が成功しなかったと判断した場合には、設定するチャンネルデータを予め決められた順番で順次変更して、当該選局された一のチャンネルに対応するＣＡＴＶ放送信号をチューナ１２に受信させ、次いで、ＣＡＴＶ放送信号の受信が成功したと判断した場合には、Lastチャンネルデータテーブル１７１の「Lastチャンネルデータ」記憶領域１７１ａに記憶されているチャンネルデータと、チャンネルマップ１７２の「チャンネルデータ」記憶領域１７２ｃに記憶されている当該選局された一のチャンネルに対応するチャンネルデータと、を当該成功した際に設定していたチャンネルデータに更新する。
ここで、予め決められた順番は、例えば、上記したＣＡＴＶ放送で最も多く採用されている周波数テーブルの順及び変調方式の順であってもよいし、成功回数データテーブル１７３の「成功回数」記憶領域１７３ｂに記憶された成功回数の多いチャンネルデータの順であってもよい。
ＣＰＵ１８１は、かかる通常動作プログラム１８３２を実行することによって、受信制御手段として機能する。
【００４５】
＜テレビジョン受像機による処理＞
次に、テレビジョン受像機１による処理について、図６〜１５のフローチャートを参照して説明する。
【００４６】
[チャンネルスキャン処理]
まず、テレビジョン受像機１によるチャンネルスキャンに関する処理について、図６〜８を参照して説明する。
【００４７】
まず、ユーザによるリモコンＲの操作等によって、例えば、チャンネルをオートスキャンすることにより、ＣＡＴＶ放送信号のチャンネルデータのプリセットを行うよう指示されると（ステップＳ１１）、ＣＰＵ１８１は、オートスキャンプログラム１８３１を実行して、Lastチャンネルデータテーブル１７１の「地上波/ケーブル識別フラグ」記憶領域１７１ｂに“ケーブル”を記憶させ、テレビジョン受像機１により受信可能な全てのチャンネルに対して、ループＡの処理を行う（ステップＳ１２〜Ｓ２７）。
【００４８】
具体的には、一のチャンネルにおけるループＡの処理では、まず、ＣＰＵ１８１は、ＲＡＭ１８２内の「ｆ」記憶領域に“０”を設定し、ＲＡＭ１８２内の「ｍ」記憶領域に“０”を設定する（ステップＳ１３）。
【００４９】
次いで、ＣＰＵ１８１は、Lastチャンネルデータテーブル１７１の「Lastチャンネルデータ」記憶領域１７１ａの「Last Freq Table」記憶領域に記憶された周波数テーブルが、ＳＴＤであるか、或いは、ＨＲＣであるかを判断する（ステップＳ１４）。
【００５０】
ステップＳ１４で、ＳＴＤであると判断すると（ステップＳ１４；ＳＴＤ）、ＣＰＵ１８１は、ＲＡＭ１８２内の「現在の周波数テーブル」記憶領域に“ＳＴＤ”を設定する（ステップＳ１５）。
また、ステップＳ１４で、ＨＲＣであると判断すると（ステップＳ１４；ＨＲＣ）、ＣＰＵ１８１は、ＲＡＭ１８２内の「現在の周波数テーブル」記憶領域に“ＨＲＣ”を設定する（ステップＳ１６）。
【００５１】
次いで、ＣＰＵ１８１は、Lastチャンネルデータテーブル１７１の「Lastチャンネルデータ」記憶領域１７１ａの「Last Modulation」記憶領域に記憶された変調方式が、６４ＱＡＭであるか、２５６ＱＡＭであるか、或いは、８ＶＳＢであるかを判断する（ステップＳ１７）。
【００５２】
ステップＳ１７で、６４ＱＡＭであると判断すると（ステップＳ１７；６４ＱＡＭ）、ＣＰＵ１８１は、ＲＡＭ１８２内の「現在の変調方式」記憶領域に“６４ＱＡＭ”を設定する（ステップＳ１８）。
また、ステップＳ１７で、２５６ＱＡＭであると判断すると（ステップＳ１７；２５６ＱＡＭ）、ＣＰＵ１８１は、ＲＡＭ１８２内の「現在の変調方式」記憶領域に“２５６ＱＡＭ”を設定する（ステップＳ１９）。
また、ステップＳ１７で、８ＶＳＢであると判断すると（ステップＳ１７；８ＶＳＢ）、ＣＰＵ１８１は、ＲＡＭ１８２内の「現在の変調方式」記憶領域に“８ＶＳＢ”を設定する（ステップＳ２０）。
【００５３】
次いで、ＣＰＵ１８１は、「現在の周波数テーブル」記憶領域に設定された周波数テーブルと「現在の変調方式」記憶領域に設定された変調方式との組み合わせからなるチャンネルデータを、チューナ１２やフロントエンド１３に設定し（ステップＳ２１）、ＣＡＴＶ放送信号の受信が成功したか否かを判断する（ステップＳ２２）。
【００５４】
ステップＳ２２で、成功したと判断すると（ステップＳ２２；Ｙｅｓ）、ＣＰＵ１８１は、チャンネルマップ１７２の「ADD/DELETEフラグ」記憶領域１７２ｂのうちの、当該一のチャンネルに対応する領域に“○”を記憶させる（ステップＳ２３）。
【００５５】
次いで、ＣＰＵ１８１は、「現在の周波数テーブル」記憶領域に設定された周波数テーブルをCh Freq Tableとして、「現在の変調方式」記憶領域に設定された変調方式をCh Modulationとして記憶させる（ステップＳ２４）。
具体的には、ＣＰＵ１８１は、チャンネルマップ１７２の「チャンネルデータ」記憶領域１７２ｃの「Ch Freq Table」記憶領域のうちの当該一のチャンネルに対応する領域に、「現在の周波数テーブル」記憶領域に設定された周波数テーブルを記憶させ、チャンネルマップ１７２の「チャンネルデータ」記憶領域１７２ｃの「Ch Modulation」記憶領域のうちの当該一のチャンネルに対応する領域に、「現在の変調方式」記憶領域に設定された変調方式を記憶させる。
【００５６】
次いで、ＣＰＵ１８１は、「現在の周波数テーブル」記憶領域に設定された周波数テーブルをLast Freq Tableとして、「現在の変調方式」記憶領域に設定された変調方式をLast Modulationとして記憶させる（ステップＳ２５）。
具体的には、ＣＰＵ１８１は、Lastチャンネルデータテーブル１７１の「Lastチャンネルデータ」記憶領域１７１ａの「Last Freq Table」記憶領域のうちの当該一のチャンネルに対応する領域に、「現在の周波数テーブル」記憶領域に設定された周波数テーブルを記憶させ、Lastチャンネルデータテーブル１７１の「Lastチャンネルデータ」記憶領域１７２ａの「Last Modulation」記憶領域のうちの当該一のチャンネルに対応する領域に、「現在の変調方式」記憶領域に設定された変調方式を記憶させる。
【００５７】
次いで、ＣＰＵ１８１は、現在設定しているチャンネルデータ（すなわち、「現在の周波数テーブル」記憶領域に設定された周波数テーブルと「現在の変調方式」記憶領域に設定された変調方式との組み合わせからなるチャンネルデータ）に対応する成功回数を更新する（ステップＳ２６）。
具体的には、ＣＰＵ１８１は、成功回数データテーブル１７３の「成功回数」記憶領域１７３ｂのうちの、現在設定しているチャンネルデータに対応する領域に記憶されている成功回数に１を加算することによって、当該成功回数を更新する。
【００５８】
そして、テレビジョン受像機１により受信可能な全てのチャンネルに対するループＡの処理が終了すると（ステップＳ２７）、ＣＰＵ１８１は、本処理を終了する。
【００５９】
また、ステップＳ２２で、失敗したと判断すると（ステップＳ２２；Ｎｏ）、ＣＰＵ１８１は、ＲＡＭ１８２内の「ｍ」記憶領域に“ｍ＋１”を設定し（ステップＳ２８）、「ｍ」記憶領域に設定された数値が３であるか否かを判断する（ステップＳ２９）。
【００６０】
ステップＳ２９で、「ｍ」記憶領域に設定された数値が３であると判断すると（ステップＳ２９；Ｙｅｓ）、ＣＰＵ１８１は、ＲＡＭ１８２内の「ｆ」記憶領域に“ｆ＋１”を設定し（ステップＳ３０）、「ｆ」記憶領域に設定された数値が２であるか否かを判断する（ステップＳ３１）。
【００６１】
ステップＳ３１で、「ｆ」記憶領域に設定された数値が２であると判断すると（ステップＳ３１；Ｙｅｓ）、ＣＰＵ１８１は、ステップＳ２７の処理に移行する。
【００６２】
また、ステップＳ２９で、「ｍ」記憶領域に設定された数値が３でないと判断すると（ステップＳ２９；Ｎｏ）、ＣＰＵ１８１は、Lastチャンネルデータテーブル１７１の「Lastチャンネルデータ」記憶領域１７１ａの「Last Modulation」記憶領域に記憶された変調方式が、６４ＱＡＭであるか、２５６ＱＡＭであるか、或いは、８ＶＳＢであるかを判断する（ステップＳ３２）。
【００６３】
ステップＳ３２で、６４ＱＡＭであると判断すると（ステップＳ３２；６４ＱＡＭ）、ＣＰＵ１８１は、ＲＡＭ１８２内の「現在の変調方式」記憶領域に設定された変調方式が、６４ＱＡＭであるか、或いは、２５６ＱＡＭであるかを判断する（ステップＳ３３）。
【００６４】
ステップＳ３３で、６４ＱＡＭであると判断すると（ステップＳ３３；６４ＱＡＭ）、ＣＰＵ１８１は、ＲＡＭ１８２内の「現在の変調方式」記憶領域に“２５６ＱＡＭ”を設定して（ステップＳ３４）、ステップＳ２１の処理に移行する。
また、ステップＳ３３で、２５６ＱＡＭであると判断すると（ステップＳ３３；２５６ＱＭＡ）、ＣＰＵ１８１は、ＲＡＭ１８２内の「現在の変調方式」記憶領域に“８ＶＳＢ”を設定して（ステップＳ３５）、ステップＳ２１の処理に移行する。
【００６５】
また、ステップＳ３２で、２５６ＱＡＭであると判断すると（ステップＳ３２；２５６ＱＡＭ）、ＣＰＵ１８１は、ＲＡＭ１８２内の「現在の変調方式」記憶領域に設定された変調方式が、２５６ＱＡＭであるか、或いは、６４ＱＡＭであるかを判断する（ステップＳ３６）。
【００６６】
ステップＳ３６で、２５６ＱＡＭであると判断すると（ステップＳ３６；２５６ＱＡＭ）、ＣＰＵ１８１は、ＲＡＭ１８２内の「現在の変調方式」記憶領域に“６４６ＱＡＭ”を設定して（ステップＳ３７）、ステップＳ２１の処理に移行する。
また、ステップＳ３６で、６４ＱＡＭであると判断すると（ステップＳ３６；６４ＱＭＡ）、ＣＰＵ１８１は、ＲＡＭ１８２内の「現在の変調方式」記憶領域に“８ＶＳＢ”を設定して（ステップＳ３８）、ステップＳ２１の処理に移行する。
【００６７】
また、ステップＳ３２で、８ＶＳＢであると判断すると（ステップＳ３２；８ＶＳＢ）、ＣＰＵ１８１は、ＲＡＭ１８２内の「現在の変調方式」記憶領域に設定された変調方式が、８ＶＳＢであるか、或いは、２５６ＱＡＭであるかを判断する（ステップＳ３９）。
【００６８】
ステップＳ３９で、８ＶＳＢであると判断すると（ステップＳ３９；８ＶＳＢ）、ＣＰＵ１８１は、ＲＡＭ１８２内の「現在の変調方式」記憶領域に“２５６ＱＡＭ”を設定して（ステップＳ４０）、ステップＳ２１の処理に移行する。
また、ステップＳ３９で、２５６ＱＡＭであると判断すると（ステップＳ３９；２５６ＱＭＡ）、ＣＰＵ１８１は、ＲＡＭ１８２内の「現在の変調方式」記憶領域に“６４ＱＡＭ”を設定して（ステップＳ４１）、ステップＳ２１の処理に移行する。
【００６９】
また、ステップＳ３１で、「ｆ」記憶領域に設定された数値が“２”でないと判断すると（ステップＳ３１；Ｎｏ）、ＣＰＵ１８１は、Lastチャンネルデータテーブル１７１の「Lastチャンネルデータ」記憶領域１７１ａの「Last Freq Table」記憶領域に記憶された周波数テーブルが、ＳＴＤであるか、或いは、ＨＲＣであるかを判断する（ステップＳ４２）。
【００７０】
ステップＳ４２で、ＳＴＤであると判断すると（ステップＳ４２；ＳＴＤ）、ＣＰＵ１８１は、ＲＡＭ１８２内の「現在の周波数テーブル」記憶領域に“ＨＲＣ”を設定する（ステップＳ４３２）。
また、ステップＳ４２で、ＨＲＣであると判断すると（ステップＳ４２；ＨＲＣ）、ＣＰＵ１８１は、ＲＡＭ１８２内の「現在の周波数テーブル」記憶領域に“ＳＴＤ”を設定する（ステップＳ４４）。
【００７１】
次いで、ＣＰＵ１８１は、ＲＡＭ１８２内の「ｍ」記憶領域に設定された数値に“０”を設定し（ステップＳ４４）、ステップＳ１７の処理に移行する。
【００７２】
[チャンネル選局処理]
次に、テレビジョン受像機１によるチャンネル選局に関する処理について、図９〜１１を参照して説明する。
【００７３】
まず、テレビジョン受像機１における通常動作時に、ユーザによるリモコンＲの操作等によって、例えば、一のチャンネルが選局されると（ステップＳ５１）、ＣＰＵ１８１は、通常動作プログラム１８３２を実行して、ＲＡＭ１８２内の「ｆ」記憶領域に“０”を設定し、ＲＡＭ１８２内の「ｍ」記憶領域に“０”を設定する（ステップＳ５２）。
【００７４】
次いで、ＣＰＵ１８１は、Lastチャンネルデータテーブル１７１の「Lastチャンネルデータ」記憶領域１７１ａの「Last Freq Table」記憶領域に記憶された周波数テーブルが、ＳＴＤであるか、或いは、ＨＲＣであるかを判断する（ステップＳ５３）。
【００７５】
ステップＳ５３で、ＳＴＤであると判断すると（ステップＳ５３；ＳＴＤ）、ＣＰＵ１８１は、ＲＡＭ１８２内の「現在の周波数テーブル」記憶領域に“ＳＴＤ”を設定する（ステップＳ５４）。
また、ステップＳ５３で、ＨＲＣであると判断すると（ステップＳ５３；ＨＲＣ）、ＣＰＵ１８１は、ＲＡＭ１８２内の「現在の周波数テーブル」記憶領域に“ＨＲＣ”を設定する（ステップＳ５５）。
【００７６】
次いで、ＣＰＵ１８１は、チャンネルマップ１７２の「チャンネルデータ」記憶領域１７２ａの「Ch Modulation」記憶領域に記憶された変調方式が、６４ＱＡＭであるか、２５６ＱＡＭであるか、或いは、８ＶＳＢであるかを判断する（ステップＳ５６）。
【００７７】
ステップＳ５６で、６４ＱＡＭであると判断すると（ステップＳ５６；６４ＱＡＭ）、ＣＰＵ１８１は、ＲＡＭ１８２内の「現在の変調方式」記憶領域に“６４ＱＡＭ”を設定する（ステップＳ５７）。
また、ステップＳ５６で、２５６ＱＡＭであると判断すると（ステップＳ５６；２５６ＱＡＭ）、ＣＰＵ１８１は、ＲＡＭ１８２内の「現在の変調方式」記憶領域に“２５６ＱＡＭ”を設定する（ステップＳ５８）。
また、ステップＳ５６で、８ＶＳＢであると判断すると（ステップＳ５６；８ＶＳＢ）、ＣＰＵ１８１は、ＲＡＭ１８２内の「現在の変調方式」記憶領域に“８ＶＳＢ”を設定する（ステップＳ５９）。
【００７８】
次いで、ＣＰＵ１８１は、「現在の周波数テーブル」記憶領域に設定された周波数テーブルと「現在の変調方式」記憶領域に設定された変調方式との組み合わせからなるチャンネルデータを、チューナ１２やフロントエンド１３に設定し（ステップＳ６０）、ＣＡＴＶ放送信号の受信が成功したか否かを判断する（ステップＳ６１）。
【００７９】
ステップＳ６１で、成功したと判断すると（ステップＳ６１；Ｙｅｓ）、ＣＰＵ１８１は、ＣＰＵ１８１は、「現在の周波数テーブル」記憶領域に設定された周波数テーブルをCh Freq Tableとして、「現在の変調方式」記憶領域に設定された変調方式をCh Modulationとして記憶させる（ステップＳ６２）。
【００８０】
次いで、ＣＰＵ１８１は、「現在の周波数テーブル」記憶領域に記憶された周波数テーブルをLast Freq Tableとして、「現在の変調方式」記憶領域に記憶された変調方式をLast Modulationとして記憶させ（ステップＳ６３）、本処理を終了する。
【００８１】
また、ステップＳ６１で、失敗したと判断すると（ステップＳ６１；Ｎｏ）、ＣＰＵ１８１は、ＲＡＭ１８２内の「ｍ」記憶領域に“ｍ＋１”を設定し（ステップＳ６４）、「ｍ」記憶領域に設定された数値が３であるか否かを判断する（ステップＳ６５）。
【００８２】
ステップＳ６５で、「ｍ」記憶領域に設定された数値が３であると判断すると（ステップＳ６５；Ｙｅｓ）、ＣＰＵ１８１は、ＲＡＭ１８２内の「ｆ」記憶領域に“ｆ＋１”を設定し（ステップＳ６６）、「ｆ」記憶領域に設定された数値が２であるか否かを判断する（ステップＳ６７）。
【００８３】
ステップＳ６７で、「ｆ」記憶領域に設定された数値が２であると判断すると（ステップＳ６７；Ｙｅｓ）、ＣＰＵ１８１は、本処理を終了する。
【００８４】
また、ステップＳ６５で、「ｍ」記憶領域に設定された数値が３でないと判断すると（ステップＳ６５；Ｎｏ）、ＣＰＵ１８１は、ステップＳ６８〜Ｓ７７の処理を行う。なお、ステップＳ６８〜Ｓ７７の処理は、ステップＳ３２〜Ｓ４１の処理（図７）と略同一であるため、詳細な説明は省略する。
【００８５】
また、ステップＳ６７で、「ｆ」記憶領域に設定された数値が“２”でないと判断すると（ステップＳ６７；Ｎｏ）、ＣＰＵ１８１は、ステップＳ７８〜Ｓ８１の処理を行う。なお、ステップＳ７８〜Ｓ８１の処理は、ステップＳ４２〜Ｓ４５の処理（図８）と略同一であるため、詳細な説明は省略する。
【００８６】
[チャンネル選局処理の変形例]
次に、テレビジョン受像機１によるチャンネル選局に関する処理の変形例について、図１２及び１３を参照して説明する。
【００８７】
まず、ユーザによるリモコンＲの操作等によって、例えば、一のチャンネルが選局されると（ステップＳ３５１）、ＣＰＵ１８１は、通常動作プログラム１８３２を実行して、チャンネルマップ１７２の「チャンネルデータ」記憶領域１７２ｃから、当該選局された一のチャンネルに対応するチャンネルデータを取得する（ステップＳ３５２）。
【００８８】
次いで、ＣＰＵ１８１は、ＲＡＭ１８２内の「現在の周波数テーブル」記憶領域に、ステップＳ３５２で取得したチャンネルデータに含まれる周波数テーブルを設定し（ステップＳ３５３）、ＲＡＭ１８２内の「現在の変調方式」記憶領域に、ステップＳ３５２で取得したチャンネルデータに含まれる変調方式を設定する（ステップＳ３５４）。
【００８９】
次いで、ＣＰＵ１８１は、「現在の周波数テーブル」記憶領域に設定された周波数テーブルと「現在の変調方式」記憶領域に設定された変調方式との組み合わせからなるチャンネルデータを、チューナ１２やフロントエンド１３に設定し（ステップＳ３５５）、ＣＡＴＶ放送信号の受信が成功したか否かを判断する（ステップＳ３５６）。
【００９０】
ステップＳ３５６で、成功したと判断すると（ステップＳ３５６；Ｙｅｓ）、ＣＰＵ１８１は、「現在の周波数テーブル」記憶領域に設定された周波数テーブルをLast Freq Tableとして、「現在の変調方式」記憶領域に設定された変調方式をLast Modulationとして記憶させ（ステップＳ３５７）、本処理を終了する。
【００９１】
また、ステップＳ３５６で、失敗したと判断すると（ステップＳ３５６；Ｎｏ）、ＣＰＵ１８１は、ＲＡＭ１８２内の「ｎ」記憶領域に“１”を設定する（ステップＳ３５８）。
【００９２】
次いで、ＣＰＵ１８１は、これまでに取得していないチャンネルデータの中に、成功回数データテーブル１７３の「成功回数」記憶領域１７３ｂに記憶された成功回数がｎ番目に多いチャンネルデータがあるか否かを判断する（ステップＳ３５９）。
【００９３】
ステップＳ３５９で、成功回数がｎ番目に多いチャンネルデータがあると判断すると（ステップＳ３５９；Ｙｅｓ）、ＣＰＵ１８１は、当該成功回数がｎ番目に多いチャンネルデータを、成功回数データテーブル１７３の「成功チャンネルデータ」記憶領域１７３ａから取得する（ステップＳ３６０）。なお、当該成功回数がｎ番目に多いチャンネルデータが複数ある場合は、そのうちの一つを取得する。
【００９４】
次いで、ＣＰＵ１８１は、ＲＡＭ１８２内の「現在の周波数テーブル」記憶領域に、ステップＳ３６０で取得したチャンネルデータに含まれる周波数テーブルを設定し（ステップＳ３６１）、ＲＡＭ１８２内の「現在の変調方式」記憶領域に、ステップＳ３６０で取得したチャンネルデータに含まれる変調方式を設定する（ステップＳ３６２）。
【００９５】
次いで、ＣＰＵ１８１は、「現在の周波数テーブル」記憶領域に設定された周波数テーブルと「現在の変調方式」記憶領域に設定された変調方式との組み合わせからなるチャンネルデータを、チューナ１２やフロントエンド１３に設定し（ステップＳ３６３）、ＣＡＴＶ放送信号の受信が成功したか否かを判断する（ステップＳ３６４）。
【００９６】
ステップＳ３６４で、失敗したと判断すると（ステップＳ３６４；Ｎｏ）、ＣＰＵ１８１は、ステップＳ３５９の処理に移行する。
【００９７】
一方、ステップＳ３６４で、成功したと判断すると（ステップＳ３６４；Ｙｅｓ）、ＣＰＵ１８１は、「現在の周波数テーブル」記憶領域に設定された周波数テーブルをCh Freq Tableとして、「現在の変調方式」記憶領域に設定された変調方式をCh Modulationとして記憶させる（ステップＳ３６５）。
【００９８】
次いで、ＣＰＵ１８１は、「現在の周波数テーブル」記憶領域に設定された周波数テーブルをLast Freq Tableとして、「現在の変調方式」記憶領域に設定された変調方式をLast Modulationとして記憶させ（ステップＳ３６６）、本処理を終了する。
【００９９】
また、ステップＳ３５９で、成功回数がｎ番目に多いチャンネルデータがないと判断すると（ステップＳ３５９；Ｎｏ）、これまでに取得していないチャンネルデータがあるか否かを判断する（ステップＳ３６７）。
【０１００】
ステップＳ３６７で、これまでに取得していないチャンネルデータがあると判断すると（ステップＳ３６７；Ｙｅｓ）、ＣＰＵ１８１は、ＲＡＭ１８２内の「ｎ」記憶領域に“ｎ＋１”を設定して（ステップＳ３６８）、ステップＳ３５９の処理に移行する。
【０１０１】
一方、ステップＳ３６７で、これまでに取得していないチャンネルデータがないと判断すると（ステップＳ３６７；Ｎｏ）、ＣＰＵ１８１は、本処理を終了する。
【０１０２】
[再チャンネルスキャン処理]
次に、テレビジョン受像機１による再チャンネルスキャンに関する処理について、図１４及び１５を参照して説明する。
【０１０３】
まず、ユーザによるリモコンＲの操作等によって、例えば、チャンネルをオートスキャンすることにより、ＣＡＴＶ放送信号のチャンネルデータの再プリセットを行うよう指示されると（ステップＳ９１）、ＣＰＵ１８１は、チャンネルデータテーブル１７１の「地上波/ケーブル識別フラグ」記憶領域１７１ｂに“ケーブル”を記憶させ、ＲＡＭ１８２に成功回数データテーブル１７３に記憶されたチャンネルデータと成功回数とを対応付けて記憶させ（ステップＳ９１）、成功回数データテーブル１７３の全ての「成功回数」記憶領域１７３ｂに“０”を記憶させる（ステップＳ９３）。
【０１０４】
次いで、チャンネルマップ１７２の全ての「ADD/DELETEフラグ」記憶領域１７２ｂに“×”を記憶させ（ステップＳ９４）、ＲＡＭ１８２内の「ｐ」記憶領域に“１”を設定する（ステップＳ９５）。
【０１０５】
次いで、ＣＰＵ１８１は、これまでに取得していないチャンネルデータの中に、ＲＡＭ１８２に記憶された成功回数がｐ番目に多いチャンネルデータがあるか否かを判断する（ステップＳ９６）。
【０１０６】
ステップＳ９６で、成功回数がｐ番目に多いチャンネルデータがあると判断すると（ステップＳ９６；Ｙｅｓ）、ＣＰＵ１８１は、当該成功回数がｐ番目に多いチャンネルデータを、ＲＡＭ１８２から取得する（ステップＳ９７）。なお、当該成功回数がｐ番目に多いチャンネルデータが複数ある場合は、そのうちの一つを取得する。
【０１０７】
次いで、ＣＰＵ１８１は、チャンネルマップ１７２の「ADD/DELETEフラグ」記憶領域１７２ｂに“×”が記憶されている、テレビジョン受像機１により受信可能な全てのチャンネルに対して、ループＢの処理を行う（ステップＳ９８〜Ｓ１０７）。
【０１０８】
具体的には、一のチャンネルにおけるループＢの処理では、まず、ＣＰＵ１８１は、ＲＡＭ１８２内の「現在の周波数テーブル」記憶領域に、ステップＳ９７で取得したチャンネルデータに含まれる周波数テーブルを設定し（ステップＳ９９）、ＲＡＭ１８２内の「現在の変調方式」記憶領域に、ステップＳ９７で取得したチャンネルデータに含まれる変調方式を設定する（ステップＳ１００）。
【０１０９】
次いで、ＣＰＵ１８１は、「現在の周波数テーブル」記憶領域に設定された周波数テーブルと「現在の変調方式」記憶領域に設定された変調方式との組み合わせからなるチャンネルデータを、チューナ１２やフロントエンド１３に設定し（ステップＳ１０１）、ＣＡＴＶ放送信号の受信が成功したか否かを判断する（ステップＳ１０２）。
【０１１０】
ステップＳ１０２で、失敗したと判断すると（ステップＳ１０２；Ｎｏ）、ＣＰＵ１８１は、ステップＳ１０７の処理（後述）に移行する。
【０１１１】
一方、ステップＳ１０２で、成功したと判断すると（ステップＳ１０２；Ｙｅｓ）、ＣＰＵ１８１は、チャンネルマップ１７２の「ADD/DELETEフラグ」記憶領域１７２ｂのうちの、当該一のチャンネルに対応する領域に“○”を記憶させる（ステップＳ１０３）。
【０１１２】
次いで、ＣＰＵ１８１は、「現在の周波数テーブル」記憶領域に設定された周波数テーブルをCh Freq Tableとして、「現在の変調方式」記憶領域に設定された変調方式をCh Modulationとして記憶させ（ステップＳ１０４）、「現在の周波数テーブル」記憶領域に設定された周波数テーブルをLast Freq Tableとして、「現在の変調方式」記憶領域に設定された変調方式をLast Modulationとして記憶させる（ステップＳ１０５）。
【０１１３】
次いで、ＣＰＵ１８１は、現在設定しているチャンネルデータ（すなわち、「現在の周波数テーブル」記憶領域に設定された周波数テーブルと「現在の変調方式」記憶領域に設定された変調方式との組み合わせからなるチャンネルデータ）に対応する成功回数を更新する（ステップＳ１０６）。
【０１１４】
そして、チャンネルマップ１７２の「ADD/DELETEフラグ」記憶領域１７２ｂに“×”が記憶されている、テレビジョン受像機１により受信可能な全てのチャンネルに対するループＢの処理が終了すると（ステップＳ１０７）、ＣＰＵ１８１は、ステップＳ９６の処理に移行する。
【０１１５】
また、ステップＳ９６で、成功回数がｐ番目に多いチャンネルデータがないと判断すると（ステップＳ９６；Ｎｏ）、これまでに取得していないチャンネルデータがあるか否かを判断する（ステップＳ１０８）。
【０１１６】
ステップＳ１０８で、これまでに取得していないチャンネルデータがあると判断すると（ステップＳ１０８；Ｙｅｓ）、ＣＰＵ１８１は、ＲＡＭ１８２内の「ｐ」記憶領域に“ｐ＋１”を設定して（ステップＳ１０９）、ステップＳ９６以降の処理を繰り返して行う。
【０１１７】
一方、ステップＳ１０８で、これまでに取得していないチャンネルデータがないと判断すると（ステップＳ１０８；Ｎｏ）、ＣＰＵ１８１は、本処理を終了する。
【０１１８】
以上説明した本発明のテレビジョン受像機１によれば、チューナ１２によって、ＣＡＴＶ放送信号を受信することができ、Lastチャンネルデータテーブル１７１によって、直前に選局されたチャンネルにおけるチューナ１２により受信されたＣＡＴＶ放送信号の周波数テーブルを記憶することができ、チャンネルマップ１７２によって、オートスキャン（チャンネルスキャン処理）により得られた各チャンネルにおけるチューナ１２により受信されたＣＡＴＶ放送信号の変調方式を記憶することができ、通常動作プログラム１８３２を実行したＣＰＵ１８１によって、ユーザによるリモコンＲの操作等により一のチャンネルが選局された際に、Lastチャンネルデータテーブル１７１に記憶された周波数テーブルと、チャンネルマップ１７２に記憶された当該選局された一のチャンネルに対応する変調方式と、の組み合わせからなるチャンネルデータを、当該選局された一のチャンネルに対応するＣＡＴＶ放送信号のチャンネルデータとして設定して、当該選局された一のチャンネルに対応するＣＡＴＶ放送信号をチューナ１２に受信させることができる。そして、通常動作プログラム１８３２を実行したＣＰＵ１８１は、Lastチャンネルデータテーブル１７１に記憶された周波数テーブルとチャンネルマップ１７２に記憶された当該選局された一のチャンネルに対応する変調方式との組み合わせからなるチャンネルデータを設定することによって、ＣＡＴＶ放送信号の受信が成功したか否かを判断し、ＣＡＴＶ放送信号の受信が成功しなかったと判断した場合には、設定するチャンネルデータを予め決められた順番で順次変更して、選局された一のチャンネルに対応するＣＡＴＶ放送信号をチューナ１２に受信させ、次いで、ＣＡＴＶ放送信号の受信が成功したと判断した場合には、Lastチャンネルデータテーブル１７１に記憶されている周波数テーブルと、チャンネルマップ１７２に記憶されている当該選局された一のチャンネルに対応する変調方式と、を当該成功した際に設定していたチャンネルデータに含まれる周波数テーブルと変調方式とに更新することができる。
すなわち、Lastチャンネルデータテーブル１７１に記憶された周波数テーブルとチャンネルマップ１７２に記憶された変調方式との組み合わせからなるチャンネルデータを設定することによって、ＣＡＴＶ放送信号の受信が成功しなかった場合には、予め決められた順番（例えば、ＣＡＴＶ放送で最も多く採用されている周波数テーブルの順及び変調方式の順）で、設定するチャンネルデータを変更することができる。したがって、確実に、且つ、迅速に、ＣＡＴＶデジタル放送のＴＶ放送信号のチャンネルデータを決定することができる。
【０１１９】
また、成功回数データテーブル１７３によって、ＣＡＴＶ放送信号の受信に成功した成功回数を、チャンネルデータ毎に記憶することができる。そして、通常動作プログラム１８３２を実行したＣＰＵ１８１は、成功回数データテーブル１７３に記憶された成功回数の多いチャンネルデータから順に変更して設定することができる。
すなわち、予め決められた順番が、成功回数の多いチャンネルデータの順であるため、より一層、確実に、且つ、迅速に、ＣＡＴＶデジタル放送のＴＶ放送信号のチャンネルデータを決定することができる。
【０１２０】
また、オートスキャンプログラム１８３１を実行したＣＰＵ１８１によって、所定のタイミングで、チャンネル毎に、チューナ１２により受信されるＣＡＴＶ放送信号の周波数テーブルと変調方式との組み合わせからなるチャンネルデータの設定を行うことができ、Lastチャンネルデータテーブル１７１によって、オートスキャンプログラム１８３１を実行したＣＰＵ１８１によるオートスキャン時に、直前に選局されたチャンネルにおけるチューナ１２により受信されたＣＡＴＶ放送信号の周波数テーブルと変調方式との組み合わせからなるチャンネルデータを記憶することができる。そして、オートスキャンプログラム１８３１を実行したＣＰＵ１８１は、オートスキャンプログラム１８３１を実行したＣＰＵ１８１により一のチャンネルが選局された際に、Lastチャンネルデータテーブル１７１に記憶されたチャンネルデータを、当該選局された一のチャンネルに対応するＣＡＴＶ放送信号のチャンネルデータとして設定して、当該選局された一のチャンネルに対応するＣＡＴＶ放送信号をチューナ１２に受信させることができる。
すなわち、隣接するチャンネルの周波数帯域同士は隙間なく隣接していることから、一のチャンネルに対応するＣＡＴＶ放送信号の周波数テーブル及び変調方式の組み合わせからなるチャンネルデータと、当該一のチャンネルに隣接するチャンネルに対応するＣＡＴＶ放送信号の周波数テーブル及び変調方式の組み合わせからなるチャンネルデータと、が同一である確率が高いことを利用して、当該選局された一のチャンネルに対応するＣＡＴＶ放送信号のチャンネルデータを設定することができるため、確実に、且つ、迅速に、ＣＡＴＶデジタル放送のＴＶ放送信号のチャンネルデータを決定することができる。
【０１２１】
さらに、オートスキャンプログラム１８３１を実行したＣＰＵ１８１は、Lastチャンネルデータテーブル１７１に記憶されたチャンネルデータを設定することによってＣＡＴＶ放送信号の受信が成功したか否かを判断し、ＣＡＴＶ放送信号の受信が成功しなかったと判断した場合には、設定するチャンネルデータを予め決められた順番で順次変更して、選局された一のチャンネルに対応するＣＡＴＶ放送信号をチューナ１２に受信させ、次いで、ＣＡＴＶ放送信号の受信が成功したと判断した場合には、Lastチャンネルデータテーブル１７１に記憶されているチャンネルデータを、当該成功した際に設定していたチャンネルデータに更新することができる。
すなわち、Lastチャンネルデータ１７１に記憶されたチャンネルデータを設定することによって、ＣＡＴＶ放送信号の受信が成功しなかった場合には、予め決められた順番（例えば、ＣＡＴＶ放送で最も多く採用されている周波数テーブルの順及び変調方式の順）で、設定するチャンネルデータを変更することができる。したがって、隣接するチャンネルに対応するＣＡＴＶ放送信号同士のチャンネルデータが同一でなくても、確実に、且つ、迅速に、ＣＡＴＶデジタル放送のＴＶ放送信号のチャンネルデータを決定することができる。
また、再チャンネルスキャン処理においては、前回のチャンネルスキャン処理時にＣＡＴＶ放送信号の受信に成功した成功回数が多いチャンネルデータから順に全チャンネルがスキャンされるので、チャンネル毎にチャンネルデータの変更を行う必要がなく、より効率的にチャンネルスキャンを行うことができる。
【０１２２】
なお、本発明は、上記した実施の形態のものに限るものではなく、その要旨を逸脱しない範囲で適宜変更可能である。
テレビジョン受像機１により受信可能なチャンネルは、１〜１３５Ｃｈの限りではなく任意である。例えば、ＥＩＡ/ＣＥＡ−５４２−Ａ規格のチャンネルプランによれば、物理チャンネルの範囲は１〜１５８Ｃｈとなっている。
【０１２３】
オートスキャンプログラム１８３１を実行したＣＰＵ１８１により、ＣＡＴＶ放送信号の受信が成功しなかったと判断した場合には、設定するチャンネルデータを予め決められた順番（例えば、ＣＡＴＶ放送で最も多く採用されている周波数テーブルの順及び変調方式の順）で順次変更するようにしたが、当該予め決められた順番は、この限りでなく、例えば、成功回数データテーブル１７３の「成功回数」記憶領域１７３ｂに記憶された成功回数の多いチャンネルデータの順であってもよい。
【０１２４】
チャンネルマップ１７２の「チャンネルデータ」記憶領域１７２ｃは、少なくとも「Ch Modulation」記憶領域を有していればよい。
【図面の簡単な説明】
【０１２５】
【図１】本発明にかかるテレビジョン受像機の機能的構成を示すブロック図である。
【図２】各チャンネルに対応するデジタル方式のケーブルテレビジョン放送信号が存在する周波数帯域の中心周波数の値を説明するための図である。
【図３】図１に示したLastチャンネルデータテーブルのデータ構造を示す図である。
【図４】図１に示したチャンネルマップのデータ構造を示す図である。
【図５】図１に示した成功回数データテーブルのデータ構造を示す図である。
【図６】本発明にかかるテレビジョン受像機によるチャンネルスキャンに関する第１処理を説明するためのフローチャートである。
【図７】本発明にかかるテレビジョン受像機によるチャンネルスキャンに関する第２処理を説明するためのフローチャートである。
【図８】本発明にかかるテレビジョン受像機によるチャンネルスキャンに関する第３処理を説明するためのフローチャートである。
【図９】本発明にかかるテレビジョン受像機によるチャンネル選局に関する第１処理を説明するためのフローチャートである。
【図１０】本発明にかかるテレビジョン受像機によるチャンネル選局に関する第２処理を説明するためのフローチャートである。
【図１１】本発明にかかるテレビジョン受像機によるチャンネル選局に関する第３処理を説明するためのフローチャートである。
【図１２】本発明にかかるテレビジョン受像機によるチャンネル選局の変形例に関する第１処理を説明するためのフローチャートである。
【図１３】本発明にかかるテレビジョン受像機によるチャンネル選局の変形例に関する第２処理を説明するためのフローチャートである。
【図１４】本発明にかかるテレビジョン受像機による再チャンネルスキャンに関する第１処理を説明するためのフローチャートである。
【図１５】本発明にかかるテレビジョン受像機による再チャンネルスキャンに関する第２処理を説明するためのフローチャートである。
【符号の説明】
【０１２６】
１  テレビジョン受像機
１２  チューナ（受信手段）
１７１  Lastチャンネルデータテーブル（オートスキャン記憶手段、第１記憶手段）
１７２  チャンネルマップ（第２記憶手段）
１７３  成功回数データテーブル（成功回数記憶手段）
１８１  ＣＰＵ（オートスキャン手段、オートスキャン受信制御手段、受信制御手段）
１８３１  オートスキャンプログラム（オートスキャン手段、オートスキャン受信制御手段）
１８３２  通常動作プログラム（受信制御手段）
Ｒ  リモコン（選局手段）
【図１】
2007208808.tif 000003
【図２】
2007208808.tif 000004
【図３】
2007208808.tif 000005
【図４】
2007208808.tif 000006
【図５】
2007208808.tif 000007
【図６】
2007208808.tif 000008
【図７】
2007208808.tif 000009
【図８】
2007208808.tif 000010
【図９】
2007208808.tif 000011
【図１０】
2007208808.tif 000012
【図１１】
2007208808.tif 000013
【図１２】
2007208808.tif 000014
【図１３】
2007208808.tif 000015
【図１４】
2007208808.tif 000016
【図１５】
2007208808.tif 000017